(57)【要約】【課題】従来のテレビ付き携帯電話は、音声出力手段と音声入力手段が各一つで、選択手段がないためテレビを見聞きしながら通話ができないという問題があった。【解決手段】出力する音声において、第一の音声出力手段と、第二の音声出力手段と、テレビ音声信号または受話音声信号または無音声信号を入力として、いずれかを選択し前記第一の音声出力手段に出力する第一の選択手段と、前記テレビ音声信号または前記受話音声信号または無音声信号を入力として、いずれかを選択し前記第二の音声出力手段から出力する第二の選択手段を備え、入力される音声において、音声入力手段と、音声入力端子と、前記音声入力手段から入力される第一の入力音声信号と前記音声入力端子から入力される第二の入力音声信号を合成する音声入力ミキシング手段を備えるテレビ付き携帯電話機とすることで、テレビを見聞きしながら電話の通話が可能となる。【選択図】図１
2005252774.tif 000002
【特許請求の範囲】
【請求項１】
第一の音声出力手段と、
第二の音声出力手段と、
受信したテレビ信号からテレビ音声を抽出し、テレビ音声信号を出力するテレビ音声抽出出力手段と、
受信した電話信号から電話音声を抽出し、受話音声信号を出力する電話音声抽出手段と、
前記テレビ音声信号または前記受話音声信号または無音声信号を入力として、いずれかを選択し前記第一の音声出力手段に出力する第一の選択手段と、
前記テレビ音声信号または前記受話音声信号または無音声信号を入力として、いずれかを選択し前記第二の音声出力手段から出力する第二の選択手段とを備えたテレビ付き携帯電話機。
【請求項２】
前記第一の選択手段は、前記テレビ音声信号または前記受話音声信号のいずれか一方の信号を選択し、
前記第二の選択手段は、前記第一の選択手段の選択していない他方の信号を選択することを特徴とする請求項１のテレビ付き携帯電話機。
【請求項３】
第一の音声出力手段と、
第二の音声出力手段と、
受信したテレビ信号からテレビ音声を抽出し、テレビ音声信号を出力するテレビ音声抽出出力手段と、
受信した電話信号から電話音声を抽出し、受話音声信号を出力する電話音声抽出手段と、
前記テレビ音声信号及び前記受話音声信号を合成し、音声出力合成信号を出力する音声出力ミキシング手段と備え、
前記第一の音声出力手段と前記第二の音声出力手段のうちの少なくとも一方から音声出力合成信号を出力することを特徴とするテレビ付き携帯電話機。
【請求項４】
音声出力端子を備え、
前記第一の音声出力手段と前記第二の音声出力手段のうちの少なくとも一方が、前記音声出力端子に接続されていることを特徴とする請求項１乃至３のいずれかに記載のテレビ付き携帯電話機。
【請求項５】
前記音声出力端子がヘッドホンジャックまたはヘッドセットジャックであり、
前記第一の音声出力手段がヘッドホンまたはヘッドセットの片側のスピーカーであり、
前記第二の音声出力手段が前記第一の音声出力手段と異なる側のスピーカーであることを特徴とする請求項４記載のテレビ付き携帯電話機。
【請求項６】
音声入力手段と、
音声入力端子と、
前記音声入力手段から入力される第一の入力音声信号と前記音声入力端子から入力される第二の入力音声信号を合成する音声入力ミキシング手段とを備えた請求項１乃至５のいずれかに記載のテレビ付き携帯電話機。
【発明の詳細な説明】
【技術分野】
【０００１】
本発明は、テレビ付き携帯電話機に関するものである。
【背景技術】
【０００２】
近年、携帯電話が、普及している。また、地上波、衛星波、ケーブルによるデジタル放送が登場し、デジタル放送によるモバイルテレビも出現してくる。
【０００３】
地上波デジタル放送受信と携帯電話の両方に使用できる携帯電話機について従来例を参考にしながら説明する。従来のテレビ付き携帯電話機には音声出力手段を１つで、電話の機能を優先し、携帯使用時は携帯電話の音声しか出力しないものがある（特許文献１参照）。下記は、従来例に開示された携帯電話機の構造を示すブロック図である。
【０００４】
図４において、アンテナ４０１は、筐体に伸縮自在に取り付けられた外部アンテナと内蔵アンテナを含み、携帯電話と地上波デジタル放送のそれぞれの使用周波数に対応している。携帯電話送受信手段４０２はアンテナ４０１に接続され、携帯電話モードにおいて機能する。この携帯電話送受信手段４０２は、送信回路、受信回路、送受信の切替回路、変調回路、復調回路、ＰＬＬ（Ｐｈａｓｅ  Ｌｏｃｋｅｄ  Ｌｏｏｐ）回路等を備えて構成されている。データ処理手段４０３は、携帯電話用送受信手段４０２で受信された送信側からデータを復調する。アプリケーション手段４０４は、携帯電話の受信に対応したアプリケーションを選択する。具体的には、メールやインターネットのブラウザによる処理を実行する。ブラウザ手段４０５は、アプリケーション手段４０４により処理され、或いはＭＰＥＧ−４処理手段４０７で処理して得られた画像情報（メール、Ｗｅｂページ等の画像）を表示手段４１１に表示させる。
【０００５】
ＣＰＵ手段４０６はＣＰＵを主体に構成され、携帯電話機の全体を制御する。ＭＰＥＧ−４処理手段４０７は、携帯電話及び地上波デジタル放送のそれぞれのＭＰＥＧ−４情報を処理する。地上波デジタル放送受信手段４０８は、地上波デジタル放送を受信するための受信回路、映像・音声の復調回路等を備えて構成されている。データ処理手段４０９は、地上波デジタル放送受信手段４０８で復号されたデータを処理し、映像データ及び音声データをＭＰＥＧ−４処理手段４０７へ出力する。ＴＳ処理手段４１０は、データ処理手段４０９からトランスポート（ＴＳ：Ｔｒａｎｓｐｏｒｔ  Ｓｔｒｅａｍ）信号を復調する。表示手段４１１は、ブラウザ手段４０５から映像情報を表示器に表示する。音声出力手段４１２は、ＭＰＥＧ−４処理手段４０７で処理された音声信号をスピーカ（図示せず）により電気−音響変換して出力する。
【０００６】
ここで、図４の構成における全体の動作について説明する。携帯電話用送受信手段４０２の受信手段と、地上波デジタル放送受信手段４０８は共に機能しており、使用周波数帯が異なるため同時受信が可能である。例えば、地上波デジタル放送受信手段４０８の受信中に携帯電話の着信があれば、電話により通話が優先になるため携帯電話モードに移行することができる。携帯電話モードが動作しているとき、アンテナ４０１から電波は携帯電話送受信手段４０２に入力され、その送信データはデータ処理手段４０３によって復調され、さらにアプリケーション手段４０４において受信電波に必要なアプリケーションが選択される。データ処理手段４０３から音声情報はブラウザ手段４０５を介して音声出力手段４１２により音声に変換出力される。
【０００７】
携帯電話モード（インターネット接続等を含む）におけるＭＰＥＧ−４処理は、ＭＰＥＧ−４処理手段４０７で行われる。また、地上波デジタル放送受信は、地上波デジタル放送受信手段４０８によって選局及び復調が行われ、さらにデータ処理手段４０９及びＴＳ処理手段４１０においてトランスポート信号に復調される。このトランスポート信号は、ＭＰＥＧ−４処理手段４０７の処理に必要なデータフォーマットとして供給される。ＭＰＥＧ−４処理手段４０７で復号化（伸長）された動画像はブラウザ手段４０５を介して表示手段４１１に出力され、音声情報は音声出力手段４１２に出力される。
【０００８】
次に従来の携帯式ＴＶ電話にイヤホンは付いているが、外付けマイクロホンが付いていないものがある（特許文献２参照）。ここで、図５を参照しながら従来の携帯式ＴＶ電話について説明を行う。図５は従来の携帯式ＴＶ電話のフリップ部を開いた状態の構成を示す外観図であり、図５に於いて、５０１は無線・制御回路を内蔵した装置本体、５０２は無線電波の送受信をするアンテナ、５０３は電話番号等を入力するキー操作部、５０４は音声入力をするマイク、５０５は電源を供給するバッテリー部、５０６は回動可能なヒンジ、５０７はヒンジ５０６により装置本体５０１に連結されたフリップ部、５０８はキー操作部５０３より入力された電話番号等あるいは相手側から送られてくる文字、画像情報を映す液晶モニター、５０９は本装置側の利用者の画像情報を相手側に送るためのＣＣＤカメラ、５１０はスピーカホンとして受話音を出力するスピーカー、５１１はイヤホン端子、５１２はイヤホン端子５１１に接続し、周囲の騒音で聞き取りにくい時、或いは周囲に相手の話を聞かれたくない場合に用いるイヤホンである。
【０００９】
以上のように構成された従来例の携帯式ＴＶ電話について、以下その動作を説明する。相手側のＴＶ電話端末と音声・画像情報を送受信する場合、装置本体５０１とヒンジ５０６で連結されたフリップ部５０７を開き、液晶モニター５０８とＣＣＤカメラ５０９を視認しやすい位置に回動して固定し、液晶モニター５０８と一定の距離をもって保持する。
【００１０】
次に電源をＯＮすると、装置本体５０１に装着されたバッテリー部５０５により電源が供給され、装置本体５０１のキー操作部５０３から液晶モニター５０８で視認しながら相手側端末の電話番号を入力し、装置本体５０１の制御・無線回路を介して、アンテナ５０２から無線信号を発信し、発呼動作をおこなう。つづいて相手側の端末と無線での回線結合後、音声・画像・文字信号は無線信号を媒体としてアンテナ５０２を通じて端末間で送受信し、相手側端末から受信される音声情報はスピーカホンとして動作するスピーカー５１０またはイヤホン端子５１１に接続されたイヤホン５１２から音声出力され、画像・文字情報は液晶モニター５０８により出力される映像として受けることができる。また、相手側端末へ送信する音声情報はマイク５０４により音声入力され、画像情報はＣＣＤカメラ５０９に画像入力され、相手側に伝送される。
【特許文献１】特開２００３−１５３１１１号公報
【特許文献２】特開２００１−１４８７２７号公報
【発明の開示】
【発明が解決しようとする課題】
【００１１】
上記の構成及び動作では、テレビを見ているときに携帯電話は鳴った際、音声出力は携帯電話側の音声通信を優先し、携帯電話の通話が終了し次第、テレビの音声出力に切換えられ、音声出力手段が１つしかないため、携帯電話とテレビの音声は、同時に出力できないという問題があり、テレビを見聞きしながら電話による通話ができない課題があった。
【００１２】
また、従来例にはマイクロホンが一つしかついておらず、常に通話する際にユーザーの口をそのマイクロホンに近づけて、通話しなければならないため、テレビを見ながら通話をしようとすると、テレビ画面を見るために電話そのものの位置を通常の電話のみの通話時より遠ざけて見なければならず、人間の声だけでなく、他の音声がマイクロホンから入り、雑音の多い通話となってしまうという問題があった。
【課題を解決するための手段】
【００１３】
本願第一の発明のテレビ付き携帯電話機は、第一の音声出力手段と、第二の音声出力手段と、受信したテレビ信号からテレビ音声を抽出し、テレビ音声信号を出力するテレビ音声抽出出力手段と、受信した電話信号から電話音声を抽出し、受話音声信号を出力する電話音声抽出手段と、前記テレビ音声信号または前記受話音声信号または無音声信号を入力として、いずれかを選択し前記第一の音声出力手段に出力する第一の選択手段と、前記テレビ音声信号または前記受話音声信号または無音声信号を入力として、いずれかを選択し前記第二の音声出力手段から出力する第二の選択手段を備えたものである。
【００１４】
また、好ましくは、前記第一の選択手段が、前記テレビ音声信号または前記受話音声信号のいずれか一方の信号を選択し、前記第二の選択手段が、前記第一の選択手段の選択していない他方の信号を選択する構成でもよい。
【００１５】
本願第二の発明のテレビ付き携帯電話機は、第一の音声出力手段と、第二の音声出力手段と、受信したテレビ信号からテレビ音声を抽出し、テレビ音声信号を出力するテレビ音声抽出出力手段と、受信した電話信号から電話音声を抽出し、受話音声信号を出力する電話音声抽出手段と、前記テレビ音声信号及び前記受話音声信号を合成し、音声出力合成信号を出力する音声出力ミキシング手段とを備え、前記第一の音声出力手段と前記第二の音声出力手段のうちの少なくとも一方から音声出力合成信号を出力するものである。
【００１６】
なお本願発明のテレビ付き携帯電話機の音声入力においては、音声入力手段と、音声入力端子と、前記音声入力手段から入力される第一の入力音声信号と前記音声入力端子から入力される第二の入力音声信号を合成する音声入力ミキシング手段を備えるものである。
【発明の効果】
【００１７】
本願発明は、携帯電話とテレビを同時に使用しても、電話音声とテレビ音声を自由に選択し出力し、テレビを見聞きしながら、通話ができるという有利な効果が得られる。
【００１８】
また、本願発明は、外付けマイクロホン等の外部入力装置とイヤホン等の外部出力装置を装着及び使用ができ、携帯電話本体がユーザーの口から遠くても、外付けマイクロホンとイヤホンを使用しているため、テレビを見聞きしながら、通話ができるという有利な効果が得られる。
【００１９】
加えて、本願発明は、携帯電話の通話時に入力音声に、テレビ音声が入っても通話に支障のない非常に低くいレベルになり、雑音の少ない通話ができるという有利な効果が得られる。
【発明を実施するための最良の形態】
【００２０】
（実施の形態１）
図１を用いて、実施の形態１のテレビ付き携帯電話機の構成を示す。
【００２１】
アンテナ１０１で、テレビ信号の受信と電話信号の送受信をおこなう。アンテナ１０１で受信したテレビ信号はテレビ受信手段１０２に入力され、テレビ受信手段１０２でチャンネル選択を行い、汎用処理手段１０６に伝えられる。また、アンテナ１０１で送受信する電話信号は携帯電話用送受信手段１０３を経由し汎用処理手段１０６に伝えられる。
【００２２】
プログラム記憶手段１０７は汎用処理手段１０６で実行するプログラムを格納し、汎用処理手段１０６により実行したり、各種機能の設定を記憶したりする。データ記憶手段１０８は携帯電話の電話番号情報やデジタル放送のセキュリティパスワード等の個人情報や制御情報を格納し、汎用処理手段１０６で読み書きされる電話番号や着信履歴や発信履歴やメール等の情報を記憶する。なお、各記憶手段は不揮発性または取出し可能な記憶媒体等を用いるとよい。
【００２３】
ユーザー操作手段１０５は携帯電話のボタンに相当し、ユーザーの各操作内容を信号に変換し汎用処理手段１０６に伝える。
【００２４】
汎用処理手段１０６は、上記機能に加え、ユーザー操作手段１０５からユーザーの操作内容の信号をプログラム記憶手段１０７やデータ記憶手段１０８に伝える。また、汎用処理手段１０６は、ユーザー操作手段１０５から音声に関する選択設定の信号を音声入出力選択制御信号１３１として発生し、第一の音声出力選択手段１１１、第二の音声出力選択手段１１２、第三の音声出力選択手段１１３、第一の音声入力選択手段１１４、第二の音声入力選択手段１１５、第三の音声入力選択手段１１６を制御する。加えて、汎用処理手段１０６は、テレビ受信手段１０２でチャンネル選択されたテレビ信号からテレビ映像出力とテレビ音声を抽出し、テレビ音声信号１２９を出力するテレビ音声抽出出力手段と携帯電話用送受信手段１０３から受信した電話信号から電話音声を抽出し、受話音声信号１３０を出力する電話音声抽出手段を備え、第一音声出力選択手段、第二音声出力選択手段、第三音声出力選択手段に無音声出力１２８、テレビ音声信号１２９、受話音声信号１３０を送る。
【００２５】
液晶やＥＬ等の表示デバイスが用いられる表示手段１０９は、ユーザーの操作画面または表示画面であり、汎用処理手段１０６から送られるテレビ映像出力を入力として映像または画像または文字を出力したり、データ記憶手段１０８の電話番号や着信履歴や発信履歴やメール等の情報やプログラム記憶手段１０７の各種機能の設定状況を表示する。
【００２６】
実施の形態１の音声出力手段において、スピーカー１１７を第一音声出力手段、第一のイヤホン１２３を第二音声出力手段、第二のイヤホン１２４を第三音声出力手段とし、第一の音声出力選択手段１１１は、汎用処理手段１０６から音声入出力選択制御信号１３１に従い、汎用処理手段１０６から送られた無音声出力１２８、テレビ音声信号１２９、受話音声信号１３０のうち１つを選択し、その選択された音声をスピーカー１１７に出力する。
【００２７】
第二の音声出力選択手段１１２は、汎用処理手段１０６から音声入出力選択制御信号１３１に従い、汎用処理手段１０６から送られた無音声出力１２８、テレビ音声信号１２９、受話音声信号１３０のうち１つを選択し、その選択された音声を第一のイヤホンジャック１１８につながれた第一のイヤホン１２３に出力する。
【００２８】
第三の音声出力選択手段１１３は、汎用処理手段１０６から音声入出力選択制御信号１３１に従い、汎用処理手段１０６から送られた無音声出力１２８、テレビ音声信号１２９、受話音声信号１３０のうち１つを選択し、その選択された音声を第二のイヤホンジャック１１９につながれた第二のイヤホン１２４に出力する。なお、選択手段は半導体アナログスイッチ等を用いるとよい。
【００２９】
実施の形態１の音声入力手段において、マイクロホン１２０を第一音声入力手段、第一の外部マイクロホン１２５を第二音声入力手段、第二の外部マイクロホン１２６を第三音声入力手段とし、第一の音声入力選択手段１１４は、マイクロホン１２０から入力された音声を音声入出力選択制御信号１３１に従い、音声入力ミキシング手段１１０に入力された音声を送るか、送らないかを選択する。
【００３０】
第二の音声入力選択手段１１５は、第一のマイクロホンジャック１２１に繋がれた第一の外部マイクロホン１２５から入力された音声を音声入出力選択制御信号１３１に従い、音声入力ミキシング手段１１０に入力された音声を送るか、送らないかを選択する。
【００３１】
第三の音声入力選択手段１１６は、マイクロホンジャック第二の１２２に繋がれた第二の外部マイクロホン１２６から入力された音声を音声入出力選択制御信号１３１に従い、音声入力ミキシング手段１１０に入力された音声を送るか、送らないかを選択する。
【００３２】
音声入力ミキシング手段１１０は、第一の音声入力選択手段１１４、第二の音声入力選択手段１１５、第三の音声入力選択手段１１６の出力を合成して、入力音声１２７として、汎用処理手段１０６に送り、携帯電話用送受信手段１０３を経由し、アンテナから信号を発信する。なお、入力音声１２７は汎用処理手段１０６に送られ、受話音声信号１３０となってもよい。また、イヤホンジャック等の音声出力端子またはマイクロホンジャック等の音声入力端子は、ヘッドセットジャック等の音声入出力端子としてもよい。
【００３３】
ここで、本願発明におけるテレビ付き携帯電話の動作例について説明する。テレビのみ使用の際は、ユーザーは、使用前に、携帯電話のボタンで、汎用処理手段１０６よりプログラムを実行し、各選択手段とスピーカー１１７等の音声出力手段とマイクロホン１２０等の音声入力手段の設定を行う。例えば、スピーカー１１７に無音声出力１２８、第一のイヤホンジャック１１８にテレビ音声信号１２９と設定し、マイクロホン１２０と第一のマイクロホンジャック１２１を音声入力無効と設定する。汎用処理手段１０６は、この設定を音声入出力選択制御信号１３１として発生し、音声入出力選択制御信号１３１を第一の音声出力選択手段１１１、第二の音声出力選択手段１１２、第一の音声入力選択手段１１４、第二の音声入力選択手段１１５に送る。設定完了後、携帯電話のボタンで、見たい番組を選び、汎用処理手段を介して表示画面に映像を出力する。
【００３４】
これにより、第一のイヤホン１２３からテレビ音声信号１２９が出力される。また、音声の入力を無効にできる。さらにイヤホン等の外部音声出力手段を用いることにより、スピーカー１１７から音声を出力するよりも音声がよく聞こえるようになる。なお、音声出力の設定に関してはスピーカー１１７にテレビ音声信号１２９、第一のイヤホンジャック１１８に無音声出力１２８と設定してもよい。
【００３５】
テレビを見ている時に電話を受信する際には、一旦、表示画面は設定の画面に切り替わり、ユーザーは、携帯電話のボタンで、汎用処理手段よりプログラムを実行し、各選択手段とスピーカー１１７等の音声出力手段とマイクロホン１２０等の音声入力手段の設定を行う。例えば、スピーカー１１７にテレビ音声信号１２９、第一のイヤホンジャック１１８に受話音声信号１３０と設定し、マイクロホン１２０は無効、第一のマイクロホンジャック１２１は有効と設定する。汎用処理手段１０６は、この設定を音声入出力選択制御信号１３１として発生し、音声入出力選択制御信号１３１を第一の音声出力選択手段１１１、第二の音声出力選択手段１１２、第一の音声入力選択手段１１４、第二の音声入力選択手段１１５に送る。設定完了後、表示画面はテレビ映像を出力する。
【００３６】
なお、テレビを見ているときに着信があった際、表示画面の全画面が切り替わらずに画面の一部が変わるものでもよい。また、テレビを見ているときに着信があった際、テレビの映像に支障のない程度に、相手が誰かを表示画面に表示する機能や、テレビを見ているときにメールの受信があった際、テレビの映像に支障のない程度に、表示画面にメールのアイコンを表示したり、字幕となってメールの内容を表示する機能があってもよい。
【００３７】
これにより、スピーカー１１７からテレビ音声信号１２９が、第一のイヤホン１２３から受話音声信号１３０が出力される。また、第一の外部マイクロホン１２５から音声が、入力音声１２７となる。また、汎用処理手段１０６は、テレビと携帯電話の処理が同時に発生しても、処理をこなすものである。
【００３８】
なお、スピーカー１１７に受話音声信号１３０、第一のイヤホンジャック１１８にテレビ音声信号１２９と設定し、マイクロホン１２０に無効、第一のマイクロホンジャック１２１に有効と設定してもよい。
【００３９】
この場合、携帯電話とテレビを同時に使用しても、電話音声とテレビ音声を自由に選択し出力し、テレビを見聞きしながら、通話ができる。その上、外付けマイクロホン等の外部入力装置とイヤホン等の外部出力装置を装着及び使用ができ、携帯電話本体がユーザーの口から遠くても、外付けマイクロホンとイヤホンを使用しているため、テレビを見聞きしながら、通話ができる。
【００４０】
加えて、携帯電話の通話時の入力音声１２７に関して、本願発明は、選択手段が有効・無効を選択できかつミキシングされるので、マイクロホン１２０を無効、第一の外部マイクロホン１２５を有効にすることによって、スピーカーから出力されるテレビ音声が第一の外部マイクロホン１２５から入っても通話に支障のない非常に低くいレベルになり、雑音の少ない通話ができる。
【００４１】
テレビを見ているときに電話を発信する際は、ユーザーは、一旦、表示画面の表示を切替え、電話を発信前または予めに、携帯電話のボタンで、汎用処理手段１０６よりプログラムを実行し、各選択手段とスピーカー１１７等の音声出力手段とマイクロホン１２０等の音声入力手段の設定を行う。例えば、スピーカー１１７にテレビ音声信号１２９、第一のイヤホンジャック１１８に受話音声信号１３０と設定し、マイクロホン１２０は無効、第一のマイクロホンジャック１２１は有効と設定する。汎用処理手段１０６は、この設定を音声入出力選択制御信号１３１として発生し、音声入出力選択制御信号１３１を第一の音声出力選択手段１１１、第二の音声出力選択手段１１２、第一の音声入力選択手段１１４、第二の音声入力選択手段１１５に送る。設定完了後、表示をテレビに切替える。
【００４２】
これにより、スピーカー１１７からテレビ音声信号１２９が、第一のイヤホン１２３から受話音声信号１３０が出力される。また、第一の外部マイクロホン１２５から音声が、入力音声１２７となる。汎用処理手段１０６は、テレビと携帯電話の処理が同時に発生しても、処理をこなすものである。なお、テレビを見ているときに発信する際、表示画面の全画面が切り替わらずに画面の一部が変わるものでもよい。また、テレビを見ているときに発信する際、テレビを一旦中断してもよい。
【００４３】
電話のみ使用で受発信の際は、ユーザーは、予めまたは受発信時に、携帯電話のボタンで、汎用処理手段１０６よりプログラムを実行し、各選択手段とスピーカー１１７等の音声出力手段とマイクロホン１２０等の音声入力手段の設定を行う。例えば、スピーカー１１７には無声音１２８、第一のイヤホンジャック１１８には受話音声信号１３０、第二のイヤホンジャック１１９には受話音声信号１３０と設定する。また、マイクロホン１２０を無効、第一のマイクロホンジャック１２１を有効、第二のマイクロホンジャック１２２を有効と設定する。汎用処理手段１０６は、この設定を音声入出力選択制御信号１３１として発生し、音声入出力選択制御信号１３１を第一の音声出力選択手段１１１、第二の音声出力選択手段１１２、第三の音声出力選択手段１１３、第一の音声入力選択手段１１４、第二の音声入力選択手段１１５，第三の音声出力選択手段１１６に送る。
【００４４】
これにより、第一のイヤホン１２３、第二のイヤホン１２４から、音声が出力される。また、第一の外部マイクロホン１２５、第二の外部マイクロホン１２６から入力が有効になり、音声入力ミキシング手段１１０で、入力を合成するため、それぞれの入力の合成した音声が、入力音声１２７となる。
【００４５】
この場合、通常の携帯電話の受発信と変わらないが、複数のジャックとそれにつながれたイヤホン及びマイクロホンを持ち、自由に音声入出力が設定できるため、１つの携帯電話で、複数の人が、同じ相手に電話ができるようになる。
【００４６】
なお、音声の入出力に関して、携帯電話モード、テレビモード、携帯とテレビモードの３つのモードを持ち、予めそれぞれに対して選択手段の音声入力先と音声出力先を設定する機能があってもよい。
【００４７】
また、携帯電話モード、テレビモード、携帯とテレビモードのそれぞれにボタンがひとつずつ割り当てられ、そのボタンを一度押すことにより、予めそれぞれに対して選択手段の音声入力先と音声出力先の設定をそのモードに切替えることができる機能があってもよい。
【００４８】
例えば、携帯電話モードにおいてはスピーカー１１７が受話音声信号１３０、第一のイヤホン１２３を無音声信号１２８、マイクロホン１２０を有効、第一の外部マイクロホン１２５を無効とし、テレビモードにおいては、スピーカー１１７が無音声信号１２８、第一のイヤホン１２３をテレビ音声信号１２９、マイクロホン１２０を無効、第一の外部マイクロホン１２５を無効とし、携帯とテレビモードにおいては、スピーカー１１７がテレビ音声信号１２９、第一のイヤホン１２３を受話音声信号１３０、マイクロホン１２０を無効、第一の外部マイクロホン１２５を有効と設定する。
【００４９】
ここで、上記例の動作例を説明する。ユーザーがテレビモードでテレビを見ている際、電話の着信があったとする。その時に、ユーザーは携帯とテレビモードのボタンを押し、携帯とテレビモードに切り替える。通話が終了したら、テレビモードのボタンを押し、元に戻す。また、テレビが見終わった後、そのままの状態で終了するか、携帯電話モードにし待ち受けの状態にしてもよい。
【００５０】
それにより、スピーカー１１７の音声が無音声信号１２８からテレビ音声信号１２９に、第一のイヤホン１２３がテレビ音声信号１２９から受話音声信号１３０に、第一の外部マイクロホン１２５が無効から有効に切り替わる。また、携帯とテレビモードからテレビモードに切り替えることにより、元に戻る。それゆえ、テレビを見ながら電話する際、割り当てられたボタンを一度押すだけの操作で設定切り替えが可能になり、手間がかからないうえ、容易に使える。
【００５１】
なお、携帯電話モードにおいてはスピーカー１１７が無音声信号１２８、第一のイヤホン１２３を受話音声信号１３０、マイクロホン１２０を無効、第一の外部マイクロホン１２５を有効とし、テレビモードにおいては、スピーカー１１７がテレビ音声信号１２９、第一のイヤホン１２３を無音声信号１２８、マイクロホン１２０を無効、第一の外部マイクロホン１２５を無効とし、携帯とテレビモードにおいては、スピーカー１１７が受話音声信号１３０、第一のイヤホン１２３をテレビ音声信号１２９、マイクロホン１２０を無効、第一の外部マイクロホン１２５を有効と設定してもよく、それぞれのモードにおいて、様々な選択パターンをユーザーにより自由に設定できる。
【００５２】
加えて、当構成において、音声出力手段おいてスピーカー１１７が第一の音声出力手段とならなくてよい。また、同様に音声入力手段においてマイクロホン１２０が第一の音声入力手段とならなくてよい。さらに、実施の形態１にはスピーカー１１７以外の音声出力手段はイヤホンとなっているが、ヘッドセットやヘッドホンを用いてもよい。
【００５３】
そして、本願発明におけるテレビ付き携帯電話機は、音声入力端子と音声出力端子の数に制限はなく、本体に取り付けられるだけ取り付けてもよい。また、汎用処理手段１０６はそれぞれの端子に対応した選択設定をできるものである。
【００５４】
（実施の形態２）
図２を用いて、実施の形態２のテレビ付き携帯電話機の構成を示す。
【００５５】
図２において、実施の形態１と同じ部位は同じ番号を付し同様のものとし、重複する説明は適宜省略する。
【００５６】
音声出力ミキシング手段２０４は音声入出力選択制御信号２０７に従い、テレビ音声信号１２９と受話音声信号１３０の音量を調整しミキシングする。
【００５７】
第一の音声出力選択手段２０１は、汎用処理手段１０６からテレビ音声信号２０５と受話音声信号２０６を音声出力ミキシング手段２０４で合成してから音声入出力選択制御信号２０７に従い選択し、スピーカー１１７に出力する。
【００５８】
第二の音声出力選択手段２０２は、汎用処理手段１０６からテレビ音声信号２０５と受話音声信号２０６を音声出力ミキシング手段２０４で合成してから音声入出力選択制御信号２０７に従い選択し、第一のイヤホンジャック１１８につながれた第一のイヤホン１２３に出力する。
【００５９】
第三の音声出力選択手段２０３は、汎用処理手段２０６からテレビ音声信号２０５と受話音声信号２０６を音声出力ミキシング手段２０４で合成してから音声入出力選択制御信号２０７に従い選択し、第二のイヤホンジャック１１９につながれた第二のイヤホン１２４に出力する。なお、選択手段は半導体アナログスイッチ等を用いるとよい。
【００６０】
ここで、本願発明のテレビ付き携帯電話の動作例について説明する。テレビのみ使用の際は、ユーザーは、使用前に、携帯電話のボタンで、汎用処理手段１０６よりプログラムを実行し、各選択手段とスピーカー１１７等の音声出力手段とマイクロホン１２０等の音声入力手段の設定を行う。例えば、音声出力ミキシング手段２０４から合成出力音声の出力をスピーカー１１７は無効、第一のイヤホンジャック１１８は有効と設定し、マイクロホン１２０、第一のマイクロホンジャック１２１は無効と設定する。汎用処理手段１０６は、この設定を音声入出力選択制御信号２０７に変換し、音声入出力選択制御信号２０７を第一の音声出力選択手段２０１、第二の音声出力選択手段２０２、第三の音声出力選択手段２０３、第一の音声入力選択手段１１４、第二の音声入力選択手段１１５、第三の音声入力選択手段１１６に送る。設定後、携帯電話のボタンで、見たい番組を選び、汎用処理手段を介して表示画面に映像を出力する。
【００６１】
これにより、第一のイヤホン１２３から音声を出力できる。また、音声の入力を無効にできる。
【００６２】
テレビを見ている時に電話を受信した際には、一旦、表示画面は設定の画面に切り替わり、ユーザーは、携帯電話のボタンで、汎用処理手段１０６よりプログラムを実行し、各選択手段とスピーカー１１７等の音声出力手段とマイクロホン１２０等の音声入力手段の設定を行う。例えば、音声出力ミキシング手段２０４内において、テレビ音声２０５の音量を小さく、受話音声信号２０６の音量を大きく設定して合成出力音声を作成し、音声出力ミキシング手段２０４から合成出力音声の出力をスピーカー１１７は無効、第一のイヤホンジャック１１８は有効と設定し、マイクロホン１２０を無効、第一のマイクロホンジャック１２１を有効と設定する。設定完了後、表示画面はテレビ映像を出力する。
【００６３】
なお、テレビを見ているときに着信があった際、表示手段の全画面が切り替わらずに画面の一部が変わるものでもよい。また、テレビを見ているときに着信があった際、テレビの映像に支障のない程度に、相手が誰かを表示画面に表示する機能や、テレビを見ているときにメールの受信があった際、テレビの映像に支障のない程度に、表示画面にメールのアイコンを表示したり、字幕となってメールの内容を表示する機能があってもよい。加えて、音声出力ミキシング手段２０４において、合成出力音声を作成する際は、テレビ音声２０５の音量と受話音声信号２０６の音量を自由に設定できるものとする。
【００６４】
これにより、第一のイヤホン１２３に、音声出力ミキシング手段２０４から合成出力音声を出力できる。また、第一の外部マイクロホン１２５から音声が、入力音声１２７となる。また、汎用処理手段１０６は、テレビと携帯電話の処理が同時に発生しても、処理をこなすものである。
【００６５】
この場合、携帯電話とテレビを同時に使用しても、合成音声を自由に選択し出力し、テレビを見聞きしながら、通話ができる。その上、外付けマイクロホン等の外部入力装置とイヤホン等の外部出力装置を装着及び使用ができ、携帯電話本体がユーザーの口から遠くても、外付けマイクロホンとイヤホンを使用しているため、テレビを見聞きしながら、通話ができる。
【００６６】
加えて、携帯電話の通話時の入力音声１２７に関して、本願発明は、選択手段が有効・無効を選択できかつミキシングされるので、マイクロホン１２０を無効、第一の外部マイクロホン１２５を有効にすることによって、スピーカーから出力されるテレビ音声が第一の外部マイクロホン１２５から入っても通話に支障のない非常に低くいレベルになり、雑音の少ない通話ができる。
【００６７】
テレビを見ているときに電話を発信する際は、ユーザーは、表示画面の表示を切替え、電話を発信後、携帯電話のボタンで、汎用処理手段１０６よりプログラムを実行し、各選択手段とスピーカー１１７等の音声出力手段とマイクロホン１２０等の音声入力手段の設定を行う。例えば、音声出力ミキシング手段２０４において、テレビ音声２０５の音量を小さく、受話音声信号２０６の音量を大きく設定し合成出力音声を作成し、スピーカー１１７は無効、第一のイヤホンジャック１１８は有効と設定する。また、マイクロホン１２０を無効、第一のマイクロホンジャック１２１を有効と設定する。設定完了後、表示画面をテレビに切替える。
【００６８】
これにより、スピーカー１１７からテレビ音声信号１２９が、第一のイヤホン１２３から受話音声信号１３０が出力される。また、第一の外部マイクロホン１２５から音声が、入力音声１２７となる。汎用処理手段１０６は、テレビと携帯電話の処理が同時に発生しても、処理をこなすものである。なお、テレビを見ているときに発信する際、表示画面の全画面が切り替わらずに画面の一部が変わるものでもよい。また、テレビを見ているときに発信する際、テレビを一旦中断してもよい。加えて、音声出力ミキシング手段２０４において、合成出力音声を作成する際は、テレビ音声２０５の音量と受話音声信号２０６の音量を自由に設定できるものとする。
【００６９】
電話のみ使用で受発信の際は、ユーザーは、予めまたは受発信時に、携帯電話のボタンで、汎用処理手段１０６よりプログラムを実行し、各選択手段とスピーカー１１７等の音声出力手段とマイクロホン１２０等の音声入力手段の設定を行う。例えば、音声出力ミキシング手段２０４から合成出力音声の出力をスピーカー１１７では無効、第一のイヤホンジャック１１８では有効、第二のイヤホンジャック１１９では有効と設定する。また、マイクロホン１２０を無効、第一のマイクロホンジャック１２１を有効、第二のマイクロホンジャック１２２を有効と設定し、入力信号を入力ミキシング手段１１０に送ると設定をする。ただし、この場合の合成出力音声はテレビ音声２０５が含まれておらず、受話音声信号２０６のみとなる。
【００７０】
これにより、第一のイヤホン１２３、第二のイヤホン１２４から、音声が出力される。また、第一の外部マイクロホン１２５、第二の外部マイクロホン１２６から入力が有効になり、音声入力ミキシング手段１１０で、入力を合成するため、それぞれの入力の合成した音声が、入力音声１２７となる。
【００７１】
この場合、通常の携帯電話の受信と変わらないが、複数のジャックとそれにつながれたイヤホン及びマイクロホンを持ち、自由に音声入出力が設定できるため、１つの携帯電話で、複数の人が、同じ相手に電話ができるようになる。
【００７２】
なお、音声の入出力に関して、携帯電話モード、テレビモード、携帯とテレビモードの３つのモードを持ち、予めそれぞれに対して選択手段の音声入力先と音声出力先を設定する機能があってもよい。
【００７３】
また、携帯電話モード、テレビモード、携帯とテレビモードのそれぞれにボタンがひとつずつ割り当てられ、そのボタンを一度押すことにより、予めそれぞれに対して選択手段の音声入力先と音声出力先の設定をそのモードに切替えることができる機能があってもよい。
【００７４】
例えば、携帯電話モードにおいてはスピーカー１１７が有効、第一のイヤホン１２３を無効、マイクロホン１２０を有効、第一の外部マイクロホン１２５を無効とし、テレビモードにおいては、スピーカー１１７が無効、第一のイヤホン１２３を有効、マイクロホン１２０を無効、第一の外部マイクロホン１２５を無効とし、携帯とテレビモードにおいては、スピーカー１１７が有効、第一のイヤホン１２３を有効、マイクロホン１２０を無効、第一の外部マイクロホン１２５を有効と設定する。
【００７５】
ここで、上記例の動作例を説明する。ユーザーがテレビモードでテレビを見ている際、電話の着信があったとする。その時に、ユーザーは携帯とテレビモードのボタンを押し、携帯とテレビモードに切り替える。通話が終了したら、テレビモードのボタンを押し、元に戻す。また、テレビが見終わった後、そのままの状態で終了するか、携帯電話モードにし待ち受けの状態にしてもよい。
【００７６】
それにより、テレビモードから携帯とテレビモードに切り替わる際に、スピーカー１１７の音声が無効から有効に、第一のイヤホン１２３が有効から有効に、第一の外部マイクロホン１２５が無効から有効に切り替わる。また、携帯とテレビモードからテレビモードに切り替えることにより、元に戻る。それゆえ、テレビを見ながら電話する際、割り当てられたボタンを一度押すだけの操作で設定切り替えが可能になり、手間がかからないうえ、容易に使える。
【００７７】
なお、携帯電話モードにおいてはスピーカー１１７が無効、第一のイヤホン１２３を有効、マイクロホン１２０を無効、第一の外部マイクロホン１２５を有効とし、テレビモードにおいては、スピーカー１１７が有効、第一のイヤホン１２３を無効、マイクロホン１２０を無効、第一の外部マイクロホン１２５を無効とし、携帯とテレビモードにおいては、スピーカー１１７が有効、第一のイヤホン１２３を有効、マイクロホン１２０を無効、第一の外部マイクロホン１２５を有効と設定してもよく、それぞれのモードにおいて、様々な選択パターンをユーザーにより自由に設定できる
そして、実施の形態１の有用性とともに、ミキシング手段により音声を合成することで、音声出力選択手段と音声入力選択手段がＯＮ、ＯＦＦのスイッチで制御するだけでもよくなり、音声出力選択手段と音声入力選択手段においてユーザー操作手段１０５が携帯電話操作ボタンと同一平面になくてもよくなる。
【００７８】
加えて、当構成において、音声出力手段おいてスピーカー１１７が第一の音声出力手段とならなくてよい。また、同様に音声入力手段においてマイクロホン１２０が第一の音声入力手段とならなくてよい。さらに、実施の形態１にはスピーカー１１７以外の音声出力手段はイヤホンとなっているが、ヘッドセットやヘッドホンを用いてもよい。
【００７９】
そして、本願発明におけるテレビ付き携帯電話機は、音声入力端子と音声出力端子の数に制限はなく、本体に取り付けられるだけ取り付けてもよい。また、汎用処理手段１０６はそれぞれの端子に対応した選択設定をできるものである。
【００８０】
（実施の形態３）
図３を用いて、実施の形態３のテレビ付き携帯電話機の構成を示す。
【００８１】
図３において、実施の形態１と同じ部位は同じ番号を付し同様のものとし、重複する説明は適宜省略する。
【００８２】
実施の形態３では、実施の形態１の第一の音声手段とするスピーカー１１７を第一のヘッドセットの右側スピーカー３０４に、第二の音声手段とする第一のイヤホン１２３を第一のヘッドセットの左側スピーカー３０５に、第三の音声手段とする第二のイヤホン１２４をスピーカー３０３に変更し、イヤホンジャックをヘッドセットジャックに変更した構成である。
【００８３】
ここで、本願発明におけるテレビ付き携帯電話の動作例について説明する。
【００８４】
テレビのみ使用の際は、ユーザーは、使用前に、携帯電話のボタンで、第一のヘッドセットジャック３０１はテレビ音声信号１２９、第一のヘッドセットジャック３０２もテレビ音声信号１２９と設定する。また、ユーザー操作手段１０５で、マイクロホン１２０とヘッドセットのマイクロホンは無効と設定する。汎用処理手段１０６は、この設定を音声入出力選択制御信号１３１として発生し、音声入出力選択制御信号１３１を第一の音声出力選択手段１１１、第二の音声出力選択手段１１２、第一の音声入力選択手段１１４、第二の音声入力選択手段１１５に送る。また、ユーザー操作手段１０５で、見たい番組を選び、汎用処理手段を介して表示画面に映像を出力する。
【００８５】
これにより、ヘッドセットからテレビ音声信号１２９が出力される。また、音声の入力を無効にできる。
【００８６】
テレビを見ている時に電話を受信した際には、一旦、表示画面は設定の画面に切り替わり、ユーザーは、携帯電話のボタンで、第一のヘッドセットジャック３０１にはテレビ音声信号１２９が、第一のヘッドセットジャック３０２に受話音声信号１３０と設定する。また、マイクロホン１２０は無効、ヘッドセットのマイクロホンは有効と設定する。設定完了後、表示画面はテレビ映像を出力する。
【００８７】
なお、テレビを見ているときに着信があった際、表示手段の全画面が切り替わらずに画面の一部が変わるものでもよい。また、テレビを見ているときに着信があった際、テレビの映像に支障のない程度に、相手が誰かを表示画面に表示する機能や、テレビを見ているときにメールの受信があった際、テレビの映像に支障のない程度に、メールのアイコンを表示画面に表示する機能があってもよい。
【００８８】
これにより、第一のヘッドセットの右側スピーカー３０４からテレビ音声信号１２９が、第一のヘッドセットの左側スピーカー３０５から受話音声信号１３０が出力される。また、ヘッドセットのマイクロホンから音声が、入力音声１２７となる。汎用処理手段１０６は、テレビと携帯電話の処理が同時に発生しても、処理をこなすものである。
【００８９】
この場合、テレビを見聞きしながら、通話ができる上、携帯電話本体がユーザーの口から遠くても、外付けマイクロホンとイヤホンを使用しているため、テレビを見聞きしながら、通話ができる。加えて、携帯電話の通話時に入力音声１２７に関して、本願発明は、選択手段が有効・無効を選択できかつミキシングされるので、マイクロホン１２０を無効、第一の外部マイクロホン１２５を有効にすることによって、スピーカーから出力されるテレビ音声が第一の外部マイクロホン１２５から入っても通話に支障のない非常に低くいレベルになり、雑音の少ない通話ができる。
【００９０】
テレビを見ているときに電話を発信する際は、ユーザーは、表示画面の表示を切替え、電話を発信前または予めに、携帯電話のボタンで、第一のヘッドセットジャック３０１にテレビ音声信号１２９、第一のヘッドセットジャック３０２に受話音声信号１３０と設定する。また、マイクロホン１２０を無効、ヘッドセットのマイクロホンを有効と設定する。そして、表示をテレビに切替える。
【００９１】
これにより、第一のヘッドセットの右側スピーカー３０４からテレビ音声信号１２９、第一のヘッドセットの左側スピーカー３０５から受話音声信号１３０が出力される。また、ヘッドセットのマイクロホンから音声が、入力音声１２７となる。なお、汎用処理手段１０６は、テレビと携帯電話の処理が同時に発生しても、処理をこなすものであり、テレビを見ているときに発信する際、表示画面の全画面が切り替わらずに画面の一部が変わるものでもよい。また、テレビを見ているときに発信する際、テレビを一旦中断してもよい。
【００９２】
この場合、実施の形態１の有用性とともに、外部出力手段と外部入力手段が、一体化し、使いやすくなる。また、イヤホンを使用するよりもよりも音の機密性が高くなり、よりテレビと携帯電話が、同時に使いやすくなる。
【００９３】
なお、音声の入出力に関して、携帯電話モード、テレビモード、携帯とテレビモードの３つのモードを持ち、予めそれぞれに対して選択手段の音声入力先と音声出力先を設定する機能があってもよい。
【００９４】
また、携帯電話モード、テレビモード、携帯とテレビモードのそれぞれにボタンがひとつずつ割り当てられ、そのボタンを一度押すことにより、予めそれぞれに対して選択手段の音声入力先と音声出力先の設定をそのモードに切替えることができる機能があってもよい。
【００９５】
また、携帯電話モード、テレビモード、携帯とテレビモードのそれぞれにボタンがひとつずつ割り当てられ、そのボタンを一度押すことにより、予めそれぞれに対して選択手段の音声入力先と音声出力先の設定をそのモードに切替えることができる機能があってもよい。
【００９６】
例えば、携帯電話モードにおいては第一のヘッドセットの右側スピーカー３０４が受話音声信号１３０、第一のヘッドセットの左側スピーカー３０５を受話音声信号１３０、マイクロホン１２０を有効、ヘッドセットのマイクロホンを無効とし、テレビモードにおいては、第一のヘッドセットの右側スピーカー３０４がテレビ音声信号１２９、第一のヘッドセットの左側スピーカー３０５をテレビ音声信号１２９、マイクロホン１２０を無効、ヘッドセットのマイクロホンを無効とし、携帯とテレビモードにおいては、第一のヘッドセットの右側スピーカー３０４がテレビ音声信号１２９、第一のヘッドセットの左側スピーカー３０５を受話音声信号１３０、マイクロホン１２０を無効、ヘッドセットのマイクロホンを有効と設定する。
【００９７】
ここで、上記例の動作例を説明する。ユーザーがテレビモードでテレビを見ている際、電話の着信があったとする。その時に、ユーザーは携帯とテレビモードのボタンを押し、携帯とテレビモードに切り替える。通話が終了したら、テレビモードのボタンを押し、元に戻す。また、テレビが見終わった後、そのままの状態で終了するか、携帯電話モードにし待ち受けの状態にしてもよい。
【００９８】
それにより、第一のヘッドセットの右側スピーカー３０４の音声はテレビ音声信号１２９のままで、第一のヘッドセットの左側スピーカー３０５がテレビ音声信号１２９から受話音声信号１３０に、ヘッドセットのマイクロホンが無効から有効に切り替わる。また、携帯とテレビモードからテレビモードに切り替えることにより、元に戻る。それゆえ、テレビを見ながら電話する際、割り当てられたボタンを一度押すだけの操作で設定切り替えが可能になり、手間がかからないうえ、容易に使える。
【００９９】
なお、携帯電話モードにおいては第一のヘッドセットの右側スピーカー３０４が受話音声信号１３０、第一のヘッドセットの左側スピーカー３０５を受話音声信号１３０、マイクロホン１２０を無効、ヘッドセットのマイクロホンを有効とし、テレビモードにおいては、第一のヘッドセットの右側スピーカー３０４がテレビ音声信号１２９、第一のヘッドセットの左側スピーカー３０５をテレビ音声信号１２９、マイクロホン１２０を無効、ヘッドセットのマイクロホンを無効とし、携帯とテレビモードにおいては、第一のヘッドセットの右側スピーカー３０４が受話音声信号１３０、第一のヘッドセットの左側スピーカー３０５をテレビ音声信号１２９、マイクロホン１２０を無効、ヘッドセットのマイクロホンを有効と設定してもよく、それぞれのモードにおいて、様々な選択パターンをユーザーにより自由に設定できる。
【０１００】
そして、本願発明におけるテレビ付き携帯電話機は、音声入力端子と音声出力端子の数に制限はなく、本体に取り付けられるだけ取り付けてもよい。また、汎用処理手段１０６はそれぞれの端子に対応した選択設定をできるものである。
【産業上の利用可能性】
【０１０１】
本願発明にかかるテレビ付き携帯電話機において、携帯電話とテレビを同時に使用しても、音声をそれぞれに出力でき、有用に両方とも利用できるという有利な効果と音声入力を自由に選択することによりを有し、モバイルテレビ等としても有用である。
【図面の簡単な説明】
【０１０２】
【図１】実施の形態１のテレビ付き携帯電話機の構成を示すブロック図
【図２】実施の形態２のテレビ付き携帯電話機の構成を示すブロック図
【図３】実施の形態３のテレビ付き携帯電話機の構成を示すブロック図
【図４】従来のテレビ付き携帯電話の構成を示すブロック図
【図５】従来の携帯式ＴＶ電話の構成を示す外観図
【符号の説明】
【０１０３】
１０１    アンテナ
１０２    テレビ受信手段
１０３    携帯電話用送受信手段
１０４    電源
１０５    ユーザー操作手段
１０６    汎用処理手段
１０７    プログラム記憶手段
１０８    データ記憶手段
１０９    表示手段
１１０    音声入力ミキシング手段
１１１    第一の音声出力選択手段
１１２    第二の音声出力選択手段
１１３    第三の音声出力選択手段
１１４    第一の音声入力選択手段
１１５    第二の音声入力選択手段
１１６    第三の音声入力選択手段
１１７    スピーカー
１１８    第一のイヤホンジャック
１１９    第二のイヤホンジャック
１２０    マイクロホン
１２１    第一のマイクロホンジャック
１２２    第二のマイクロホンジャック
１２３    第一のイヤホン
１２４    第二のイヤホン
１２５    第一の外部マイクロホン
１２６    第二の外部マイクロホン
１２７    入力音声
１２８    無音声出力
１２９    テレビ音声信号
１３０    受話音声信号
１３１    音声入出力選択制御信号
２０１    第一の音声出力選択手段
２０２    第二の音声出力選択手段
２０３    第三の音声出力選択手段
２０４    音声出力ミキシング手段
２０５    テレビ音声信号
２０６    受話音声信号
２０７    音声入出力選択制御信号
３０１    第一のヘッドセットジャック
３０２    第一のヘッドセットジャック
３０３    スピーカー
３０４    第一のヘッドセットの右側スピーカー
３０５    第一のヘッドセットの左側スピーカー
４０１    アンテナ
４０２    携帯電話用送受信手段
４０３    データ処理手段
４０４    アプリケーション手段
４０５    ブラウザ手段
４０６    ＣＰＵ
４０７    ＭＰＥＧ−４処理手段
４０８    地上波デジタル放送受信手段
４０９    データ処理手段
４１０    ＴＳ処理手段
４１１    表示手段
４１２    音声出力手段
４１３    テレビ付き携帯電話機
５０１    携帯式ＴＶ電話
５０２    アンテナ
５０３    キー操作部
５０４    マイク
５０５    バッテリー部
５０６    ヒンジ
５０７    フリップ部
５０８    液晶モニター
５０９    ＣＣＤカメラ
５１０    スピーカー
５１１    イヤホンジャック
５１２    イヤホン
【図１】
2005252774.tif 000003
【図２】
2005252774.tif 000004
【図３】
2005252774.tif 000005
【図４】
2005252774.tif 000006
【図５】
2005252774.tif 000007